(57)【要約】【課題】  ポリッシャーとして、従来使用されているポリッシャーを改良したものであり、特にセラミックタイルの汚れにおいて洗剤を使わず水のみで清掃でき、もって洗剤による環境汚染を防止し、構造的に簡素で安価に得られるものを提供する。【解決手段】  ポリッシャーは、ポリッシャー本体１の先端部に取り付けられ回転駆動するパッド台２の先端面に係合部材３を固着し、この係合部材３に係合される被係合部材１０Ａを介してメラミン系樹脂発泡体２０Ａが固定されてなるものとしている。【選択図】  図１
0003139252.tif 000002
【実用新案登録請求の範囲】
【請求項１】
ポリッシャー本体の先端部に取り付けられ回転駆動するパッド台の先端面に係合部材を固着し、この係合部材に係合される被係合部材を介してメラミン系樹脂発泡体が前記パッド台に固定されてなるポリッシャー。
【請求項２】
前記パッド台に固着される係合部材はその係合面部が針状又は凸状をなし、該針状又は凸状係合面部によって前記被係合部材の被係合面が係合され、該被係合部材を介してメラミン系樹脂発泡体が前記パッド台に着脱可能に固定されてなる請求項１に記載のポリッシャー。
【請求項３】
前記メラミン系樹脂発泡体は駒状体からなり、該駒状メラミン系樹脂発泡体がパッド台に駒状被係合部材を介して周方向に適当間隔に固着されてなる請求項１又は２に記載のポリッシャー。
【請求項４】
前記駒状メラミン系樹脂発泡体は、回転方向側の稜線が斜面状に形成されてなる請求項３に記載のポリッシャー。
【請求項５】
前記メラミン系樹脂発泡体は円板状体からなり、該円板状メラミン系樹脂発泡体が前記パッド台に面状被係合部材を介して固定されてなる請求項１又は２に記載のポリッシャー。
【考案の詳細な説明】
【技術分野】
【０００１】
本考案は、清掃に使用されるポリッシャーに関する。
【背景技術】
【０００２】
従来、清掃用ポリッシャーを用いて床を清掃する際、水や洗剤を使用し、図６に示すような、ポリッシャー本体１の先端部に取り付けられ回転駆動するパッド台２の先端面にブラシや研磨布を取り付けモーター駆動により円周方向にパッド台２を回転させて床を清掃するポリッシャーＫが知られている。
【０００３】
しかし、セラミックタイルの床面を、上記ポリッシャーＫを用いて清掃しても、セラミックタイルは表面に複数の極細孔があり、土砂の汚れやタイル目地の汚れが極細孔に入り込んでしまうと、その汚れを取り除くことができないという問題があった。
【０００４】
そして、上記のセラミックタイルの汚れを取り除くものとして、研磨材が配合されている洗剤が知られているが、非常に高価で一般に普及されていない。
【考案の開示】
【考案が解決しようとする課題】
【０００５】
本考案は、上述の情況に鑑み、ポリッシャーとして、従来使用されているポリッシャーを改良したものであり、特にセラミックタイルの汚れにおいて洗剤を使わず水のみで清掃でき、もって洗剤による環境汚染を防止し、構造的に簡素で安価に得られるものを提供することを目的としている。
【課題を解決するための手段】
【０００６】
上記目的を達成するための手段を図面の参照符号を付して示せば、請求項１の考案に係るポリッシャーは、ポリッシャー本体１の先端部に取り付けられ回転駆動するパッド台２の先端面に係合部材３を固着し、この係合部材３に係合される被係合部材１０Ａ、１０Ｂを介してメラミン系樹脂発泡体２０Ａ、２０Ｂが前記パッド台２に固定されてなるものとしている。
【０００７】
請求項２の考案は、上記請求項１のポリッシャーにおいて、パッド台２に固着される係合部材３はその係合面部３aが針状又は凸状をなし、該針状又は凸状係合面部３aによって前記被係合部材１０Ａ、１０Ｂの被係合面１１Ａ、１１Ｂが係合され、該被係合部材１０Ａ、１０Ｂを介してメラミン系樹脂発泡体２０Ａ、２０Ｂが前記パッド台２に着脱可能に固定されてなるものとしている。
【０００８】
請求項３の考案は、上記請求項１又は２のポリッシャーにおいて、メラミン系樹脂発泡体２０Ａは駒状体からなり、該駒状メラミン系樹脂発泡体２０Ａがパッド台２に駒状被係合部材１０Ａを介して周方向に適当間隔に固着されてなるものとしている。
【０００９】
請求項４の考案は、上記請求項３のポリッシャーにおいて、駒状メラミン系樹脂発泡体２０Ａは、回転方向側４の稜線が斜面状２１に形成されてなるものとしている。
【００１０】
請求項５の考案は、上記請求項１又は２のポリッシャーにおいて、メラミン系樹脂発泡体２０Ｂは円板状体からなり、該円板状メラミン系樹脂発泡体２０Ｂがパッド台２に面状被係合部材１０Ｂを介して固定されてなるものとしている。
【考案の効果】
【００１１】
次に、本考案の効果について、図面の参照符号を付して説明する。請求項１の考案に係るポリッシャーによれば、ポリッシャー本体１の先端部に取り付けられ回転駆動するパッド台２の先端面に係合部材３を固着し、この係合部材３に係合される被係合部材１０Ａ、１０Ｂを介してメラミン系樹脂発泡体２０Ａ、２０Ｂが前記パッド台２に固定されてなるものとしているから、後述するメラミン系樹脂発泡体２０Ａ、２０Ｂの特質により、セラミックタイルの表面の極細孔に入り込んだ土砂の汚れやタイル目地の汚れを擦り取ることができる。従って、セラミックタイルの床面において洗剤を使わず水のみで清掃でき、もって洗剤による環境汚染を防止することができる。また、ポリッシャー全体として構成的に簡素となっている。
【００１２】
請求項２の考案によれば、上記のポリッシャーにおいて、パッド台２に固着される係合部材３はその係合面部３aが針状又は凸状をなし、該針状又は凸状係合面部３aによって前記被係合部材１０Ａ、１０Ｂの被係合面１１Ａ、１１Ｂが係合され、該被係合部材１０Ａ、１０Ｂを介してメラミン系樹脂発泡体２０Ａ、２０Ｂが着脱可能に前記パッド台２に固定されてなるものとしているから、被結合部材１０Ａ、１０Ｂとメラミン系樹脂発泡体２０Ａ、２０Ｂの交換を容易に行うことができる。
【００１３】
請求項３の考案によれば、上記のポリッシャーにおいて、メラミン系樹脂発泡体は駒状体からなり、該駒状メラミン系樹脂発泡体１０Ａがパッド台２に駒状被係合部材１０Ａを介して周方向に適当間隔に固着されてなるものとしているから、前記被係合部材１０Ａやメラミン系樹脂発泡体２０Ａとして適当サイズの市販品を利用できるから製品コストを低く抑えることができる。
【００１４】
請求項４の考案に係るポリッシャーでは、その使用に際し、駒状メラミン系樹脂発泡体２０Ａは、回転方向側４の稜線が斜面状２１に形成されてなるものとしているから、施工不良により表面に凹凸のあるセラミックタイルを清掃する際、メラミン系樹脂発泡体２０Ａの回転方向側４の稜線に前記凹凸の押圧力が部分的に加圧されないため、前記メラミン系樹脂発泡体２０Ａの一部破損を防止することができる。そのため、取り扱い性が更に向上するという利点がある。
【００１５】
請求項５の考案によれば、上記のポリッシャーにおいて、メラミン系樹脂発泡体は円板状体からなり、該円板状メラミン系樹脂発泡体２０Ｂがパッド台２に面状被係合部材１０Ｂを介して固定されてなるものとしているから、より広範囲のセラミックタイル表面の極細孔に入り込んだ土砂の汚れやタイル目地の汚れを擦り取ることができる。
【考案を実施するための最良の形態】
【００１６】
以下、本考案に係るポリッシャーについて、図面を参照して具体的に説明する。図１及び図２は第一実施形態、図３は第二実施形態、図４及び図５は第三実施形態、をそれぞれ示す。なお、これら第一〜第三実施形態のポリッシャーで機能的に共通する構成要素については、重複した説明を避けるために同一符号を付している。
【００１７】
図1及び図２に示す第一実施形態のポリッシャーＴ１は、ポリッシャー本体１の先端部に取り付けられ回転駆動するパッド台２の先端面に係合部材３を固着し、この係合部材３は裏面が針状又は凸状係合面部３aからなり、該係合面部３aに円周方向に４つ駒状からなる被係合部材１０Ａを介してメラミン系樹脂発泡体２０Ａが前記パッド台２に着脱可能に固定されている。
【００１８】
図１及び図２に示す被係合部材１０Ａは、厚さ２.５ｍｍ、縦１１ｃｍ、横７ｃｍからなる不織布等からなり、針状又は凸状係合面部３aとの係合面１１Ａが凹状からなる不織布等である。そして、被係合部材１０Ａとメラミン系樹脂発泡体２０Ａは両面テープ又は接着剤等で固着されている。
【００１９】
図１及び図２に示すメラミン系樹脂発泡体２０Ａは、縦１１ｃｍ、横７ｃｍ、高さ２ｃｍの駒状からなる連通気泡構造を有する三次元網状多孔体であり、表面は微細な凹凸になっており、ウレタンやセルロース、エチレン酢酸ビニル系の他の発泡体に比べて骨格が細く、微細なセルであり、しかも、非常に脆いため摩擦により細かい粒子となって摩擦表面から剥離し飛散する。
【００２０】
しかして、メラミン系樹脂発泡体２０Ａの微細な凹凸表面をセラミックタイルの床面に当てて擦ると、摩擦により細かい粒子となって摩擦表面から剥離した粒子がセラミックタイル表面の極細孔に入り込み、該剥離した粒子は非常に硬いため、メラミン系樹脂発泡体２０Ａの微細な凹凸表面とセラミックタイル表面の極細孔間で一種の研磨剤として作用することで、洗剤を使わず水のみで土砂の汚れやタイル目地の汚れを擦り取ることができ、環境汚染を防止することができる。また、ポリッシャーＴ１全体としては構成的に簡素であることに加え、被係合部材１０Ａやメラミン系樹脂発泡体２０Ａとして適当サイズの市販品を利用できるから製品コストを低く抑えることができる。
【００２１】
そして、係合部材３は裏面が針状又は凸状係合面部３aを形成し、被係合部材１０Ａは針状又は凸状係合面部３aとの係合面１１Ａが凹状からなる不織布等であるから着脱可能となり、被係合部材１０Ａとメラミン系樹脂発泡体２０Ａの交換を容易に行うことができる。
【００２２】
図３で示す第二実施形態のポリッシャーＴ２では、図１及び図２に示すメラミン系樹脂発泡体２０Ａを一部変更したものである。メラミン系樹脂発泡体２０Ａは図３に示すように、針状又は凸状係合面部３aに円周方向に４つ駒状からなる被係合部材１０Ａを介して形成され、回転方向側４の稜線を５ｍｍ程度斜面状２１に形成されて固定されている。
【００２３】
しかして、このメラミン系樹脂発泡体２０Ａでは、施工不良により表面に凹凸のあるセラミックタイルを清掃する際、回転方向側４の稜線を斜面状２１に形成してなるものとしているから、前記メラミン系樹脂発泡体２０Ａの回転方向側４の稜線に前記凹凸の押圧力が部分的に加圧されず、前記メラミン系樹脂発泡体２０Ａの一部破損を防止することができる。そのため、取り扱い性が更に向上するという利点がある。
【００２４】
図４及び図５に示す第三実施形態のポリッシャーＴ３では、ポリッシャー本体１の先端部に取り付けられ回転駆動するパッド台２の先端面に係合部材３を固着し、この係合部材３は裏面が針状又は凸状係合面部３aからなり、該係合面部３aに面状被係合部材１０Ｂを介して円板状メラミン系樹脂発泡体２０Ｂが着脱可能に固定されている。このポリッシャーＴ３では、針状又は凸状係合面部３aに面状被係合部材１０Ｂが係合され、該面状被係合部材１０Ｂと円板状メラミン系樹脂発泡体２０Ｂは両面テープ又は接着剤等で固着されているから、前記円板状メラミン系樹脂発泡体２０Ｂの特質が、上記駒状メラミン系樹脂発泡体２０Ａの特質と同質であることにより、より広範囲のセラミックタイル表面の極細孔に入り込んだ土砂の汚れやタイル目地の汚れを擦り取ることができる。
【００２５】
そして、係合部材３は裏面が針状又は凸状係合面部３aを形成し、面状被係合部材１０Ｂは針状又は凸状係合面部３aとの係合面１１Ｂが凹状からなる不織布等であるから着脱可能となり、被係合部材１０Ｂとメラミン系樹脂発泡体２０Ｂの交換を容易に行うことができる。
【図面の簡単な説明】
【００２６】
【図１】本考案に係るポリッシャーの斜視図である。
【図２】同ポリッシャーの分解斜視図である。
【図３】同ポリッシャーの斜視図である。
【図４】同ポリッシャーの斜視図である。
【図５】同ポリッシャーの分解斜視図である。
【図６】従来のポリッシャーの斜視図である。
【符号の説明】
【００２７】
Ｔ１〜Ｔ３、Ｋ        ポリッシャー
１                    ポリッシャー本体
２                    パッド台
３                    係合部材
３ａ                  係合面部
４                    回転方向側
１０Ａ、１０Ｂ        被係合部材
１１Ａ、１１Ｂ        係合面
２０Ａ、２０Ｂ        メラミン系樹脂
２１                  斜面状
【図１】
0003139252.tif 000003
【図２】
0003139252.tif 000004
【図３】
0003139252.tif 000005
【図４】
0003139252.tif 000006
【図５】
0003139252.tif 000007
【図６】
0003139252.tif 000008